(57)【要約】【課題】遊技球貯留領域から順次取り込まれる遊技球を容易に確認し得る遊技機を提供する。【解決手段】パチンコ機１０は、外枠１１と、該外枠１１の一側部にて開閉可能に支持された本体枠１２と、該本体枠１２の前部に設けられ本体枠１２の一側部にて開閉可能に支持された上側扉１３及び下側扉１４とを備えている。下側扉１４には、手前側に膨出する膨出部２０が形成され、その膨出部２０には球受皿２１が設けられている。球受皿２１において、遊技球貯留領域の最下流部は、遊技球を一列に整列した状態で遊技球取込口に案内する整列通路部となっている。【選択図】      図２
2006204523.tif 000002
【特許請求の範囲】
【請求項１】
遊技者に対向する遊技機前面にその前方に突出するようにして設けられ、遊技球の貯留領域を形成するための皿部材を備え、遊技に際し遊技球排出口から排出された遊技球を前記皿部材内に貯留し、該貯留した遊技球を遊技球取込口から順次取り込む構成とした遊技機において、
前記遊技球貯留領域の最下流部を、遊技球を整列した状態で前記遊技球取込口に案内する整列通路部とし、該整列通路部を、少なくとも前記遊技球取込口から上流側の所定区間で遊技機前面に対して垂直又は略垂直となるよう設けたことを特徴とする遊技機。
【発明の詳細な説明】
【技術分野】
【０００１】
本発明は、遊技機に関するものである。
【背景技術】
【０００２】
従来から、遊技球を使用した遊技機として、弾球遊技機であるパチンコ機や、メダルの代わりに遊技球（パチンコ球）を用いる球使用回胴遊技機が知られている。こうした遊技機では、島設備等からの遊技球の貸出が球受皿に対して行われる。そして、遊技者による遊技球の発射操作やベット操作に伴い球受皿内の遊技球が順次取り込まれ、遊技が行われる。また、所定の入賞や役成立等に応じた賞品球として、所定個数の遊技球が球受皿に払い出される。一般には、球受皿は、遊技機の前面部において手前側に膨出し且つ左右方向に延びるようにして設けられ、その底面が左右何れかの方向に傾斜している。そして、左右何れか一方の端部付近（上流側）に遊技球排出口が設けられると共に、他方の端部（下流側）に遊技球取込口が設けられている（例えば特許文献１参照）。
【０００３】
しかしながら、既存の遊技機では以下に示す問題があった。すなわち、遊技球貯留領域において、遊技球を遊技球取込口に案内するための案内通路は、通常、遊技機前面部に沿って左右方向に延びるよう設けられている。また、遊技球が自重により取込口に流れ込むようにするために、取込口直前の案内通路は低位に（遊技者側から見れば奥まった所に）設けられている。かかる場合、遊技者からすれば、案内通路における遊技球の存否を確認することが困難であった。そのため、まだ遊技球が残っているのにそれに気づかず遊技をやめてしまったり、まだ遊技球が残っていると思っていても実際には残っておらず遊技者の意向に反して遊技球が発射できなかったりするなどの不都合があった。それ故に、上記不都合の改善が望まれている。
【特許文献１】特開２００３−３３９９７７号公報
【発明の開示】
【発明が解決しようとする課題】
【０００４】
本発明は、遊技球貯留領域から順次取り込まれる遊技球を容易に確認し得る遊技機を提供することを目的とするものである。
【課題を解決するための手段】
【０００５】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００６】
手段１．遊技者に対向する遊技機前面にその前方に突出するようにして設けられ、遊技球の貯留領域を形成するための皿部材（球受皿２１）を備え、遊技に際し遊技球排出口（排出口７３）から排出された遊技球を前記皿部材内に貯留し、該貯留した遊技球を遊技球取込口（取込口７５）から順次取り込む構成とした遊技機において、
前記遊技球貯留領域の最下流部を、遊技球を整列した状態で前記遊技球取込口に案内する整列通路部（整列通路部Ｒ３）とし、該整列通路部を、少なくとも前記遊技球取込口から上流側の所定区間で遊技機前面に対して垂直又は略垂直となるよう設けたことを特徴とする遊技機。
【０００７】
手段１の遊技機では、遊技機前面にその前方に突出するようにして皿部材が設けられており、遊技に際し遊技球排出口から排出された遊技球が皿部材内に一旦貯留され、該貯留された遊技球が遊技球取込口から遊技機本体に順次取り込まれる。また特に、遊技球貯留領域の最下流部が、遊技球を整列した状態で遊技球取込口に案内する整列通路部となっており、遊技球取込口から上流側の所定区間において整列通路部が遊技機前面に対して垂直又は略垂直に設けられている。そのため、遊技機の正面側に位置する遊技者にとっては、整列通路部内の様子を容易に目視することができる。それ故に、整列通路部を通過して遊技球取込口から取り込まれる遊技球（整列通路部に残っている遊技球とも言える）を確認する上で有効な構成が実現できる。整列通路部が遊技機前面部に沿って並設される従来構成と比してその有効性は顕著である。その結果、遊技球貯留領域から順次取り込まれる遊技球を容易に確認し得る遊技機が提供できるようになる。
【０００８】
前記整列通路部を垂直又は略垂直に設ける基準となる遊技機前面は、遊技機前部のガラス面（透明パネル面）、或いはパチンコ遊技機にあっては遊技領域を形成するための遊技盤面である。また、これらガラス面や遊技盤面に略同一面で設けられる遊技機の前面パネルであっても良い。なお、前記所定区間は、少なくとも遊技球２個分程度の長さを有する区間であると良い。
【０００９】
遊技球取込口は、皿部材の遊技球貯留領域に貯留された遊技球を遊技球発射装置やその他取込装置（遊技球を順次取り込んで計数する装置）等に導くための開口であり、皿部材が装着される相手部材に設けられても良いし、皿部材自体に設けられていても良い。
【００１０】
手段２．手段１において、前記整列通路部を、前記遊技球取込口に至るまでの範囲で円弧状に設けたことを特徴とする遊技機。
【００１１】
手段２によれば、整列通路部が遊技球取込口に至るまでの範囲で円弧状に設けられているため、整列通路部において数珠繋ぎ状に並ぶ遊技球が次々と後押しされるように流れ、当該整列通路部における遊技球の流れをスムーズにすることができる。円弧部分の曲率は、多数並ぶ遊技球が次々と後押しされることが可能となるように（すなわち、後側の遊技球が流下する力が前側の遊技球に直接伝わるように）規定されると良い。なお、整列通路部の曲率は、整列通路部の全範囲で同一であっても良いし、異なる曲率の組み合わせであっても良い。
【００１２】
手段３．手段１又は２において、前記整列通路部を、前記遊技球取込口又はその近傍から本遊技機の中央部に向かって延びるよう設けたことを特徴とする遊技機。
【００１３】
手段３によれば、整列通路部が本遊技機の中央部に向かって延びるよう設けられるため、仮に遊技機の正面に座って遊技を行う遊技者にとっては、整列通路部内における遊技球の確認がより一層容易なものとなる。この場合、遊技機が遊技ホール等に設置されることを想定すると、整列通路部が遊技機前方の遊技者に向かって延びるよう設けられることになる。
【００１４】
手段４．手段１乃至３のいずれかにおいて、前記整列通路部には、当該通路部の高さ寸法を遊技球の径に合わせて規制し且つ当該通路部内を視認可能とするカバー部材（通路カバー７２）を設けたことを特徴とする遊技機。
【００１５】
手段４によれば、整列通路部に設けたカバー部材により、１つずつ確実な遊技球の取込が可能となる。また、カバー部材は通路内部を視認可能に構成されているため、整列通路部を通過して遊技球取込口から取り込まれる遊技球を目視にて確認することができる。この場合、遊技終了時等において、整列通路部に遊技球が残っていたとしてもその確認を確実に行うことができる。前記カバー部材は、その全体又は一部が透明体で形成されると良い。
【００１６】
手段５．手段４において、前記カバー部材を、前記皿部材に対して着脱可能となるよう構成したことを特徴とする遊技機。
【００１７】
手段５によれば、カバー部材が皿部材に対して着脱可能であるため、例えば、使用に伴い整列通路部が汚れる場合などにおいて、カバー部材を取り外して整列通路部の清掃等を行うことができる。これにより、メンテナンス性を向上させることができる。
【００１８】
手段６．手段１乃至５のいずれかにおいて、前記遊技球貯留領域として、前後に並び且つ上流側から下流側に向けて折り返すようにして少なくとも２つの貯留領域（上流領域Ｒ１、下流領域Ｒ２）を設け、そのうち最も手前側の貯留領域の最下流部を前記整列通路部としたことを特徴とする遊技機。
【００１９】
手段６によれば、遊技球貯留領域として、前後に並び且つ上流側から下流側に向けて折り返すようにして少なくとも２つの貯留領域を設けたため、遊技球貯留領域の大容量化と、遊技球貯留領域の上流部から下流部かけて遊技球のスムーズな流通とが実現できる。また、前記少なくとも２つの領域のうち最も手前側の貯留領域の最下流部を前記整列通路部としたため、奥側に整列通路部を設けた構成と比して、遊技機本体に取り込まれる間際の遊技球を容易に確認することができるようになる。
【００２０】
手段７．手段６において、前記少なくとも２つの貯留領域のうち、奥側の貯留領域を囲むようにして前記整列通路部を設けたことを特徴とする遊技機。
【００２１】
手段７によれば、整列通路部が奥側の貯留領域を囲むようにして設けられ、こうすることで整列通路部が少なくとも取込口間際で遊技機前面に対して垂直又は略垂直となる。これにより、整列通路部が遊技者にとって見易くなり、整列通路部における遊技球の存否の確認等を容易に行うことができるようになる。
【００２２】
手段８．手段６又は７において、前記皿部材には、前記少なくとも２つの貯留領域を区画形成するための仕切部材（仕切壁部７１）を設けたことを特徴とする遊技機。
【００２３】
手段８によれば、仕切部材により、皿部材内の遊技球貯留領域を複数の貯留領域に区分することができる。これにより、皿部材の外周壁と仕切部材との間に前記手前側の貯留領域（整列通路部）が形成される。
【００２４】
手段９．手段８において、前記仕切部材を薄肉の板状部材で構成したことを特徴とする遊技機。
【００２５】
手段９によれば、薄肉の板状部材よりなる仕切部材で皿部材の各貯留領域が区画形成される。これにより、皿部材における各貯留領域について、できる限りの大容量化が可能となる。但しこの場合、少なくとも前記整列通路部を区画する部分と他の部分とで仕切部材の厚みを変更しても良い。
【００２６】
以下に、以上の各手段を適用し得る各種遊技機の基本構成を示す。
【００２７】
弾球遊技機：遊技者が操作する操作手段（遊技球発射ハンドル１１１）と、その操作手段の操作に基づいて遊技球を弾いて発射する球発射手段（遊技球発射装置６１）と、その発射された遊技球を所定の遊技領域に導く球通路（球発射通路５３）と、遊技領域内に配置された各遊技部品（一般入賞口３１、可変入賞装置３２、作動口３３、可変表示ユニット３５等）とを備えた遊技機。
【００２８】
可変表示装置を備えた弾球遊技機：遊技者が操作する操作手段（遊技球発射ハンドル１１１）と、その操作手段の操作に基づいて遊技球を弾いて発射する球発射手段（遊技球発射装置６１）と、その発射された遊技球を所定の遊技領域に導く球通路（球発射通路５３）と、遊技領域内に配置された作動口（作動口３３）、可変表示装置（第１図柄表示装置４１）及び可変入賞装置（可変入賞装置３２）とを備え、作動口への遊技球の入球を検知すると可変表示装置に表示される図柄を可変表示し、その停止時の図柄が特定図柄である場合に可変入賞装置を所定態様で開放させるようにした遊技機。
【００２９】
球使用回胴式遊技機：複数の図柄からなる図柄列（具体的には図柄が付されたリール）を変動表示（具体的にはリールの回動）した後に図柄列を確定停止表示する可変表示手段（具体的にはリールユニット）を備え、始動用操作手段（具体的にはスタートレバー）の操作に起因して図柄の変動が開始され、停止用操作手段（具体的にはストップボタン）の操作に起因して又は所定時間経過することにより図柄の変動が停止され、その停止時の確定図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【発明を実施するための最良の形態】
【００３０】
以下、遊技機の一種であるパチンコ遊技機（以下、「パチンコ機」という）の一実施の形態を、図面に基づいて詳細に説明する。図１はパチンコ機１０の正面図、図２はパチンコ機１０の斜視図、図３は前面扉（上側扉１３及び下側扉１４）を開放した状態のパチンコ機１０を示す斜視図、図４は前面扉（上側扉１３及び下側扉１４）を直角に開いた状態でのパチンコ機１０を示す正面図である。なお、図３，図４では便宜上、パチンコ機１０の遊技領域内の構成を空白としている。
【００３１】
図１〜図４に示すように、パチンコ機１０は、当該パチンコ機１０の外殻を形成する外枠１１を備えている。外枠１１は、遊技ホールへの設置の際に、いわゆる島設備に取り付けられる。外枠１１は、木製の板材を全体として矩形枠状に組み合わせた状態とされ、各板材を小ネジ等の離脱可能な締結部材により固定することによって構成されている。外枠１１を合成樹脂やアルミニウム等の金属によって構成することも可能である。
【００３２】
外枠１１の一側部には、本体枠１２が開閉可能に支持されている。その開閉軸線はパチンコ機１０の正面からみて左側に上下へ延びるように設定されており、その開閉軸線を軸心にして本体枠１２が前方側に開放できるようになっている。本体枠１２は合成樹脂、具体的にはＡＢＳ樹脂により構成されている。ＡＢＳ樹脂を用いることにより、比較的低コストで耐衝撃性の高い本体枠１２を得ることができる。本体枠１２をアルミニウム等の金属によって構成してもよい。なお本実施の形態では、外枠１１と本体枠１２とにより遊技機本体が構成されている。外枠１１に代わる構成として設置枠体を遊技ホール側に予め設けておき、遊技ホールへのパチンコ機１０の設置に際しては本体枠１２を前記設置枠体に組み付ける構成とすることも可能である。
【００３３】
本体枠１２の前面側には、本体枠１２を覆うようにして、前面扉としての上側扉１３と下側扉１４とが設けられている。これら上側扉１３と下側扉１４とは、本体枠１２に対して各々開閉可能に取り付けられており、本体枠１２と同様、パチンコ機１０の正面からみて左側に上下に延びる開閉軸線を軸心にして前方側に開放できるようになっている。各扉１３，１４はその大部分が本体枠１２と同様、ＡＢＳ樹脂にて成形されている。
【００３４】
ここで、上側扉１３の構成を説明する。上側扉１３には、円形に近い略楕円形状をなす視認窓としての窓部１５が形成されている。この窓部１５により、後述する遊技盤面に形成された遊技領域のほぼ全域が前方から視認可能となっている。また、窓部１５の周囲には各種ランプ等の複数の発光手段１６が設けられている。これら発光手段１６は、大当たり時や所定のリーチ時等における遊技状態の変化に応じて点灯、点滅のように発光態様が制御されることにより、遊技中の演出効果を高める役割を果たす。
【００３５】
また、図３においては図示を略すが、上側扉１３には、窓部１５を覆うようにしてその裏側からガラスユニットが取り付けられるようになっている。因みに、このガラスユニットは、いわゆる複層ガラスであり、窓部１５とほぼ同一形状であって且つ該窓部１５よりも若干外径寸法が大きいガラスフレームと、該ガラスフレームに所定間隔を隔てて固定される前後一対のガラス板とを有して構成されている。ガラスフレーム及び前後一対のガラス板により区画される内部空間は密閉空間となっており、同空間内に乾燥剤等が同封されることにより、ガラス面の結露等が防止されるようになっている。
【００３６】
一方、下側扉１４の前面側には、その上端部から下端部にかけて手前側へ膨出形成された膨出部２０が設けられ、その膨出部２０内側には上方に開放された球受皿２１が組み付けられている。球受皿２１は、遊技者の持ち分となる遊技球を貯留する遊技球貯留領域を形成するための皿部材に相当し、島設備の球貸し装置から貸し出された遊技球や、払出装置より払い出された遊技球はこの球受皿２１で一旦貯留され、その後一列に整列して遊技球発射装置側へ導かれる。但しその構成の詳細は後述する。
【００３７】
膨出部２０の前面側には球抜きレバー２２が設けられており、この球抜きレバー２２が操作されると、球受皿２１に設けられた球抜き通路の蓋部２３（図６参照）が開放される。これにより、球受皿２１内の貯留球が膨出部２０の内部を通って下方に流れ、膨出部２０の下方に置かれた球収容箱等に排出されるようになっている。符号２４は、球受皿２１において蓋部２３よりも下流側に位置する遊技球を排出するために操作される球抜きスイッチである。
【００３８】
また、下側扉１４の前面側において、膨出部２０よりも右方には遊技球発射ハンドル１１１が設けられ、左方には灰皿１１２が設けられている。灰皿１１２は、内部に溜まった吸い殻等を除去しやすいように手前側下方に反転可能に取り付けられている。なお、膨出部２０の内部空間にはスピーカが設けられており、膨出部２０の前面一部には例えば網目部等が設けられそれがスピーカカバーとなっている。
【００３９】
本パチンコ機１０では便宜上省略したが、島設備から供給される遊技球の球貸し操作を行うための貸球操作部を膨出部２０に設けることも可能である。この貸球操作部は、パチンコ機１０の側方に配置されたカードユニット（球貸しユニット）に紙幣やカード等を投入した状態で、球貸し操作、カード等の返却操作及び有効度数の確認を行うものであり、一般的な構成としては球貸しボタンと返却ボタンと度数表示部とが一体的に並設されている。この場合、球貸しボタンは、カード（記録媒体）等に記録された情報に基づいて貸出球を得るために操作されるものであり、カード等に残額が存在する限りにおいて貸出球が払い出される。返却ボタンは、カードユニットに挿入されたカード等の返却を求める際に操作される。度数表示部はカード等の残額情報を表示するものである。
【００４０】
ここで、球受皿２１の構成について図５〜図８に基づいて詳しく説明する。図５は下側扉１４の単体構成を示す斜視図、図６は下側扉１４の平面図である。また、図７及び図８には球受皿２１の単体構成を示しており、図７は球受皿２１の分解斜視図、図８は球受皿２１の一部を破断すると共に遊技球貯留領域の最下流部における遊技球通路を透視して示す斜視図である。
【００４１】
下側扉１４において、球受皿２１は、膨出部２０に上方から組み付けられるようになっており、この球受皿２１の外周壁２１ａと下側扉１４の奥パネル１４ａとにより遊技球貯留領域が区画形成されている。また、球受皿２１には、遊技球貯留領域を概ね前後２つの貯留領域（上流領域Ｒ１、下流領域Ｒ２）に区分するための仕切壁部７１が設けられている。球受皿２１において、上流領域Ｒ１と下流領域Ｒ２とは折り返すようにして設けられ、上流領域Ｒ１の皿底部は図の右側ほど下方に傾斜し、下流領域Ｒ２の皿底部は図の左側ほど下方に傾斜している。
【００４２】
仕切壁部７１は、球受皿２１の後側端部（奥パネル１４ａに接する部位）を始端として手前側に円弧を描くようにして延び、更に球受皿２１の中間部位まで右方へ延びる構成となっている。詳細には、仕切壁部７１の円弧部は、概ね遊技球１個分の幅（実際には遊技球径よりも僅かに大きい幅寸法）を隔てて球受皿２１の外周壁２１ａにほぼ並行に形成されている。また、仕切壁部７１は、球受皿２１の略中央部において左側から右側へかけて後方側に僅かに指向するよう形成されている。従って、上流側及び下流側の各領域Ｒ１，Ｒ２は、それぞれ上流部ほど広く、下流部ほど狭くなるよう領域形成されており、特に下流領域Ｒ２の最下流部は遊技球を一列に整列する整列通路部Ｒ３となっている。なお、仕切壁部７１は、整列通路部Ｒ３を区画する部位は比較的薄肉で形成され、他の部位は比較的厚肉で形成されている。この場合、整列通路部Ｒ３は、上流領域Ｒ１を囲むように、且つ少なくとも取込口間際（遊技球取込口から上流側の所定区間）においてパチンコ機前面部に対して略垂直になるよう設けられている。
【００４３】
ここで、整列通路部Ｒ３は、遊技球を１つずつ取り込ませるための通路領域であり、その上下方向も概ね遊技球１個分の高さ寸法とすべく、球受皿２１の外周壁２１ａと仕切壁部７１との間には、整列通路部Ｒ３（下流通路Ｒ２の最下流部）に被さるようにして通路カバー７２が組み付けられている。通路カバー７２は、他の部位とは別体で着脱可能に構成され、整列通路部Ｒ３における遊技球の有無を視認可能にすべく透明材料にて成形されている。また、整列通路部Ｒ３の底部には、当該通路部Ｒ３における遊技球の流れ（転がり）を良好にすることを目的として、ステンレス製の金属帯よりなるステンレスプレート７４が設けられている。
【００４４】
奥パネル１４ａには、下側扉１４の背面側に連通する排出口７３が設けられおり、後述する払出装置から払い出される遊技球は排出口７３を介して球受皿２１に排出されるようになっている。なお、排出口７３は、本パチンコ機１０の中心部から向かって左寄りの位置に設けられている。
【００４５】
また、下側扉１４には、前記整列通路部Ｒ３に連通し、球受皿２１から遊技球を取り込むための取込口７５が設けられている（図３参照）。この場合、排出口７３と取込口７５とは、共にパチンコ機１０の正面から見て左寄り（下側扉１４の開閉軸側）であって、取込口７５が排出口７３よりも外側になるよう設けられている。
【００４６】
排出口７３から排出された遊技球は、上流領域Ｒ１→下流領域Ｒ２の順に流れ、更に整列通路部Ｒ３にて一列に整列されて１つずつ取込口７５から取り込まれる。かかる場合、上流通路Ｒ１は奥側、下流通路Ｒ２（整列通路部Ｒ３を含む）は手前側に設けられており、遊技球は、遊技者に近い手前側に回り込むようにして流れ、取込口７５から順次取り込まれる。
【００４７】
次に、本体枠１２の構成を説明する。図４に示すように、本体枠１２は、外形が前記外枠１１とほぼ同一形状をなす樹脂ベース２５を主体に構成されており、樹脂ベース２５の中央部には略円形状の窓孔２６が形成されている。樹脂ベース２５の後側には遊技盤３０が着脱可能に装着されている。図１１に示すように、遊技盤３０は略四角形状の合板よりなり、その周縁部が樹脂ベース２５の裏側に当接した状態で取着されている。すなわち、遊技盤３０はパチンコ機１０後方より取り付けられ、遊技盤３０の前面部の略中央部分だけが樹脂ベース２５の窓孔２６を通じて本体枠１２の前面側に露出した状態となっている。
【００４８】
次に、遊技盤３０の構成を図１１に基づいて説明する。遊技盤３０には、ルータ加工が施されることによって前後方向に貫通する大小複数の開口部が形成されている。各開口部には一般入賞口３１、可変入賞装置３２、作動口３３、スルーゲート３４及び可変表示ユニット３５等がそれぞれ設けられている。実際には、一般入賞口３１、可変入賞装置３２、作動口３３、スルーゲート３４及び可変表示ユニット３５は木ねじ等により遊技盤表面に取り付けられている。本実施の形態では、可変表示ユニット３５が遊技盤３０の略中央に配置され、その下方に作動口３３が配置され、さらにその下方に可変入賞装置３２が配置されている。また、可変表示ユニット３５の左右両側にスルーゲート３４が配置され、遊技盤３０の下部両側に一般入賞口３１がそれぞれ複数配置されている。作動口３３には、所定の条件下で作動状態（開放状態）となる電動役物が付随的に設けられている。前記一般入賞口３１、可変入賞装置３２及び作動口３３に遊技球が入ると、それが後述する検出スイッチにより検出され、その検出結果に基づいて球受皿２１に対し所定数の賞品球が払い出される。その他に、遊技盤３０の最下部にはアウト口３６が設けられており、各種入賞口等に入らなかった遊技球はアウト口３６を通って図示しない球排出路の方へと案内されるようになっている。また、遊技盤３０には、遊技球の落下方向を適宜分散、調整等するために多数の釘が植設されていると共に、風車３７等の各種部材（役物）が配設されている。
【００４９】
遊技盤３０の左右両側部には、組付相手である本体枠１２の左右両側からの張出領域との干渉を回避するように凹部としての切欠３８が複数箇所に形成されている。
【００５０】
可変表示ユニット３５には、作動口３３への入賞をトリガとして第１図柄（特別図柄）を変動表示する第１図柄表示装置４１が設けられている。可変表示ユニット３５には、第１図柄表示装置４１を囲むようにしてセンターフレーム４３が配設されている。センターフレーム４３の上部には、第１図柄表示装置４１に対応した保留ランプ４４が設けられている。遊技球が作動口３３を通過した回数は最大４回まで保留され、保留ランプ４４の点灯によってその保留個数が表示されるようになっている。なお、保留ランプ４４は、第１図柄表示装置４１の一部で変動表示される構成等であっても良い。また、センターフレーム４３の上部中央には、スルーゲート３４の通過をトリガとして第２図柄（普通図柄）を変動表示する第２図柄表示装置４２が設けられている。センターフレーム４３の下部には、第２図柄表示装置４２に対応した保留ランプ４６が設けられている。遊技球がスルーゲート３４を通過した回数は最大４回まで保留され、保留ランプ４６の点灯によってその保留個数が表示されるようになっている。なお、保留ランプ４６は、前記保留ランプ４４と同様に、第１図柄表示装置４１の一部で変動表示される構成等であっても良い。
【００５１】
第１図柄表示装置４１は液晶ディスプレイを備えた液晶表示装置として構成されており、後述する表示制御装置により表示内容が制御される。第１図柄表示装置４１には、例えば左、中及び右に並べて第１図柄が表示され、これらの図柄が上下方向にスクロールされるようにして可変表示されるようになっている。なお、第１図柄表示装置４１は、液晶ディスプレイ以外に、ＣＲＴ，ドットマトリックス，７セグメント等その他のタイプにより表示画面を構成したものであってもよい。
【００５２】
第２図柄表示装置４２は、例えば「○」、「×」の２種類の第２図柄を表示する表示部４５を備えている。そして、遊技球がスルーゲート３４を通過する毎に表示部４５の表示図柄（第２図柄）が変動し、その変動表示が所定図柄（例えば「○」図柄）で停止した場合に、作動口３３に付随する電動役物が所定時間だけ開放状態となるよう構成されている。具体的な変動態様は、遊技球がスルーゲート３４を通過すると、「○」と「×」の表示が付された部分の背面に内蔵された各ＬＥＤが交互に点灯され、最終的に「○」か「×」の一方に対応したＬＥＤのみが点灯されるというものである。なお、表示部４５は、複数のランプ（ＬＥＤ）を交互に点灯させることにより変動表示される構成の他、第１図柄表示装置４１（液晶表示装置）の一部で変動表示される構成等であってもよい。
【００５３】
可変入賞装置３２は、通常は遊技球が入賞できない又は入賞し難い閉状態になっており、特別遊技状態（以下、大当たりという）の際に遊技球が入賞しやすい所定の開放状態に切り換えられるようになっている。より詳しくは、作動口３３に遊技球が入賞すると第１図柄表示装置４１で第１図柄が変動表示され、その停止後の確定図柄が予め設定した特定の図柄の組合せとなった場合に大当たりが発生する。そして、可変入賞装置３２が所定の開放状態となり、遊技球が入賞し易い状態になるよう構成されている。可変入賞装置３２の開放態様としては、所定時間（例えば３０秒間）の経過又は所定個数（例えば１０個）の入賞を１ラウンドとして、可変入賞装置３２内の継続入賞口への入賞を条件として次ラウンドへの移行条件成立とし、複数ラウンド（例えば１５ラウンド）を上限として可変入賞装置３２が繰り返し開放されるものが一般的である。
【００５４】
遊技盤３０には、遊技球発射装置から発射された遊技球を遊技盤３０上部へ案内するためのレール部材が取り付けられており、遊技球発射ハンドル１１１の回動操作に伴い発射された遊技球はレール部材を通じて所定の遊技領域に案内されるようになっている。すなわち、レール部材は、長尺状をなすステンレス製の金属帯よりなる内レール５１と外レール５２にて構成されており、それら各レール５１，５２は遊技盤３０の面上にほぼ垂直に立設されている。内レール５１は、遊技盤３０の左側に所定範囲（前記窓部１５の約２／３ほどの長さ）で略円環状に形成され、外レール５２は内レール５１の外側に所定範囲（前記窓部１５の約１／２ほどの長さ）で略半円環状に形成されている。これら各レール５１，５２が所定間隔を隔てて対向する部分により球発射通路５３が形成されている。
【００５５】
但し、本パチンコ機１０では、図４に示すように、遊技球発射装置６１がパチンコ機１０の向かって左側に設けられており、当該遊技球発射装置６１によって遊技球がほぼ垂直に打ち上げられるようになっている。それ故に、外レール５２の始端部（図の下端部）は、ほぼ鉛直方向に延びるよう固定されている。
【００５６】
内レール１５の終端部には戻り球防止部材５４が取着されており、この戻り球防止部材５４により、一旦球発射通路５３から遊技盤３０の上部へと飛び出した遊技球が球発射通路５３内に戻ってしまうといった事態が防止されるようになっている。また、外レール５２の終端部には返しゴム５５が取着されており、所定以上の勢いで発射された遊技球は返しゴム５５に当たり、遊技領域の中央寄りに跳ね返されるようになっている。
【００５７】
遊技盤３０の左上部には、前後に貫通した中継端子孔５９が設けられており、この中継端子孔５９を通じて、遊技盤裏面に設置した中継端子板の接続コネクタ６０がパチンコ機１０前面側に露出されるようになっている。
【００５８】
本体枠１２の説明に戻り、図３，図４に示すように、前記樹脂ベース２５において、窓孔２６（遊技盤３０）の下方には、ソレノイド駆動式の遊技球発射装置６１が取り付けられている。この遊技球発射装置６１は、遊技球発射方向への直線往復動が可能な駆動軸６２ａを有してなるソレノイド６２と、該ソレノイド６２の駆動軸６２ａの直線移動方向と同一方向に延びる発射レール６３とを備えている。発射レール６３は、僅かに傾いているがほぼ鉛直方向に設けられている。この場合、遊技者が遊技球発射ハンドル１１１を回動操作すると、その操作量に応じてソレノイド６２が作動して遊技球が発射される。これにより、遊技球が発射レール６３に沿ってほぼ真上に打ち上げられ、その後球発射通路５３を通じて遊技領域に案内される。
【００５９】
なお詳しい説明は省略するが、遊技球発射装置６１には球送り装置が設けられており、この球送り装置によって、発射レール６３に対して下側扉１４側の取込口７５（球受皿２１に通じる球出口）から遊技球が１つずつ供給され、ソレノイド６２の駆動に伴い遊技球が１つずつ発射されるようになっている。
【００６０】
遊技球発射装置６１の上方には、ファール球を回収したり、払出装置の払出球を球受皿２１に案内したりするための遊技球案内ユニット１０１が設けられている。遊技球案内ユニット１０１の構成を図９と図１０を用いて説明する。
【００６１】
遊技球案内ユニット１０１は、前記遊技盤３０上の球発射通路５３の真下に設けられたファール球回収部１０２と、このファール球回収部１０２に接続され、発射レール６３の先端部を迂回するようにしてクランク状をなす遊技球案内通路１０３とを有しており、該案内通路１０３の終端部には前記下側扉１４の排出口７３に連通する開口部１０４（図４参照）が設けられている。
【００６２】
従って、仮に遊技球発射装置６１から発射された遊技球が戻り球防止部材５４まで至らずファール球として球発射通路５３内を逆戻りする場合には、そのファール球がファール球回収部１０２に落下し、その後遊技球案内通路１０３を介して排出口７３から球受皿２１に戻される。
【００６３】
詳細な説明は割愛するが、遊技球案内ユニット１０１は、払出装置から払い出される払出球を球受皿２１に案内するための機能も併せ有している。つまり、払出装置から払い出された遊技球は、所定の払出通路を介して遊技球案内通路１０３に導かれ、その後排出口７３から球受皿２１に排出される。
【００６４】
また、樹脂ベース２５には、窓孔２６の左上部には小窓７９が設けられている。この小窓７９は、図１１で説明した遊技盤３０の中継端子孔５９に対応する位置に設けられ、中継端子孔５９及び小窓７９を通じて、遊技盤裏面に設置した中継端子板の接続コネクタ６０が本体枠１２の前面側に露出される。かかる構成において、上側扉１３に設けた各種発光手段１６（ランプ等）に対しては、本体枠１２（樹脂ベース２５）の小窓７９より露出した接続コネクタ６０を介して電気的な接続がなされている。なお、樹脂ベース２５には、上側扉１３の開放の状態を検出するための扉開放スイッチ（図示略）が設けられている。
【００６５】
本体枠１２の右下隅部には、外枠１１に対する本体枠１２の施錠及び解錠、並びに本体枠１２に対する上側扉１３の施錠及び解錠を行うための鍵部材としてのシリンダ錠９１が設置されている。シリンダ錠９１は施錠装置に一体化されており、施錠装置のうちシリンダ錠９１だけが本体枠１２の前方に突出した状態で設けられている。シリンダ錠９１は、本体枠１２の施解錠と上側扉１３の施解錠とを共に賄う機能を有しており、鍵穴に差し込んだキーを左（反時計回り方向）に回すと本体枠１２の施錠が解かれ、逆にキーを右（時計回り方向）に回すと上側扉１３の施錠が解かれるようになっている。
【００６６】
また、本体枠１２には、シリンダ錠９１を囲むようにして縦長状のカバー部材９２が取り付けられている。図２等に示すように、下側扉１４には、カバー部材９２の形状に合わせて切欠部１４５が形成されており、下側扉１４を閉鎖した状態ではこの下側扉１４と共にカバー部材９２がパチンコ機前面部を構成する。
【００６７】
なお、下側扉１４は、上側扉１３を開放した状態で所定の開放操作レバー（図示略）を操作することで開放可能となっている。
【００６８】
次に、パチンコ機１０の背面の構成を説明する。なお、図１２はパチンコ機１０の背面図、図１３はパチンコ機１０の背面構成を主要部品毎に分解して示す分解斜視図である。
【００６９】
まず、パチンコ機１０の背面構成について全体の概要を説明する。パチンコ機１０の背面側には、各種制御装置（各種制御基板）が上下左右に並べられるようにして又は前後に重ねられるようにして配置されるとともに、遊技球を供給するための遊技球供給装置（払出機構）や樹脂製の保護カバー等が取り付けられている。本実施の形態では、各種制御装置を２つの取付台に分けて搭載して２つの制御基板ユニットを構成し、それら制御基板ユニットを個別に本体枠１２又は遊技盤３０の裏面に装着するようにしている。この場合、主制御装置２７１（主基板）と音声ランプ制御装置２７２（音声ランプ制御基板）とを一方の取付台に搭載してユニット化すると共に、払出制御装置３１１（払出制御基板）、発射制御装置３１２（発射制御基板）及び電源装置３１３（電源基板）を他方の取付台に搭載してユニット化している。以下においては、便宜上、前者のユニットを「第１制御基板ユニット２０１」と称し、後者のユニットを「第２制御基板ユニット２０２」と称することとする。また、払出機構及び保護カバーも１ユニットとして一体化され、一般に樹脂部分を裏パックと称することもあるため、ここではそのユニットを「裏パックユニット２０３」と称する。各ユニット２０１〜２０３の詳細な構成については後述する。
【００７０】
第１制御基板ユニット２０１、第２制御基板ユニット２０２及び裏パックユニット２０３は、ユニット単位で何ら工具等を用いずに着脱できるよう構成されるとともに、一部に支軸部を設けて本体枠１２又は遊技盤３０の裏面に対して展開できる構成となっている。これは、各ユニット２０１〜２０３やその他構成が前後に重ねて配置された場合に隠れた部位を容易に確認することを可能とするための工夫でもある。実際には、図１４の概略図に示すように、略Ｌ字状をなす第１制御基板ユニット２０１はパチンコ機１０のほぼ中央に配置され、その下方に第２制御基板ユニット２０２が配置されている。また、第１制御基板ユニット２０１に一部重複する領域に、裏パックユニット２０３が配置されている。
【００７１】
第１制御基板ユニット２０１にはパチンコ機１０の背面から見て左端部に支軸部Ｍ１が設けられ、その支軸部Ｍ１による軸線Ａを中心に第１制御基板ユニット２０１が回動可能となっている。また、第１制御基板ユニット２０１には、その右端部すなわち支軸部Ｍ１の反対側となる開放端側に、ナイラッチ（登録商標）等よりなる締結部Ｍ２が設けられると共に上端部に係止爪部Ｍ３が設けられており、これら締結部Ｍ２及び係止爪部Ｍ３によって第１制御基板ユニット２０１がパチンコ機１０本体の裏面に沿った状態に保持されるようになっている。また、第２制御基板ユニット２０２にはパチンコ機１０の背面から見て右端部に支軸部Ｍ４が設けられ、その支軸部Ｍ４による軸線Ｂを中心に第２制御基板ユニット２０２が回動可能となっている。また、第２制御基板ユニット２０２には、その左端部すなわち支軸部Ｍ４の反対側となる開放端側に、ナイラッチ等よりなる締結部Ｍ５が設けられており、この締結部Ｍ５によって第２制御基板ユニット２０２がパチンコ機１０本体の裏面に沿った状態に保持されるようになっている。さらに、裏パックユニット２０３にはパチンコ機１０の背面から見て右端部に支軸部Ｍ６が設けられ、その支軸部Ｍ６による軸線Ｃを中心に裏パックユニット２０３が回動可能となっている。また、裏パックユニット２０３には、その左端部すなわち支軸部Ｍ６の反対側となる開放端側にナイラッチ等よりなる締結部Ｍ７が設けられるとともに、上端部及び下端部にそれぞれ回動式の係止部Ｍ８，Ｍ９が設けられており、これら締結部Ｍ７及び係止部Ｍ８，Ｍ９によって裏パックユニット２０３がパチンコ機１０本体の裏面に沿った状態に保持されるようになっている。
【００７２】
各ユニット２０１〜２０３を回動可能に支持する支軸部Ｍ１，Ｍ４，Ｍ６は、各ユニット２０１〜２０３をパチンコ機１０の裏面から開いた状態で容易に取り外し可能なヒンジ構造となっている。簡単に説明すると、第１制御基板ユニット２０１については、締結部Ｍ２の締結及び係止爪部Ｍ３の係止を解除すると共に、当該ユニット２０１を軸線Ａを中心に回動させて展開し、その状態で持ち上げる。これにより、裏パックユニット２０３がない前提であれば、第１制御基板ユニット２０１を取り外すことができる。また、第２制御基板ユニット２０２については、締結部Ｍ５の締結を解除すると共に、当該ユニット２０２を軸線Ｂを中心に回動させて展開し、その状態で持ち上げる。これにより、第２制御基板ユニット２０２を取り外すことができる。さらに、裏パックユニット２０３については、締結部Ｍ７の締結及び係止部Ｍ８，Ｍ９の係止を解除すると共に、当該ユニット２０３を軸線Ｃを中心に回動させて展開し、その状態で持ち上げる。これにより、裏パックユニット２０３を取り外すことができる。
【００７３】
ここで、各ユニット２０１〜２０３の展開方向は同一でなく、第１制御基板ユニット２０１は、パチンコ機１０の背面から見て左開きになるのに対し、第２制御基板ユニット２０２及び裏パックユニット２０３は、同右開きになるよう構成されている。この場合、第１制御基板ユニット２０１は、裏パックユニット２０３に一部重複して設けられるため、裏パックユニット２０３を開かないことには第１制御基板ユニット２０１を取り外すことが不可能であり、さらに言うと、第１制御基板ユニット２０１及び裏パックユニット２０３が各々逆方向に展開する構成であるため、裏パックユニット２０３を所定角度以上に大きく開いた状態又は同ユニット２０３を取り外した状態でなければ第１制御基板ユニット２０１を取り外すことが不可能である。従って、第１制御基板ユニット２０１を取り外すことに着目すると、他のユニット２０２，２０３に比べて取り外しが困難な構成となっている。さらに、施錠装置をキー操作して外枠１１に対して本体枠１２を開放しなければ、裏パックユニット２０３を開くことができない構成となっているため、より一層第１制御基板ユニット２０１の取り外しが困難なものとなっている。より具体的な構成については後述する。
【００７４】
次に、本体枠１２及び遊技盤３０の裏面構成を説明する。なお、図１５は本体枠１２に遊技盤３０を組み付けた状態でかつ前記各ユニット２０１〜２０３等を取り外した状態の構成を示す背面図、図１６は本体枠１２を後方より見た斜視図、図１７は遊技盤３０を後方より見た斜視図である。
【００７５】
遊技盤３０は、樹脂ベース２５に囲まれた四角枠状の設置領域に裏面側より設置され、本体枠１２に設けられた複数（本実施の形態では４カ所）の係止固定具２１１，２１２によって後方へ脱落しないように固定されている。係止固定具２１１，２１２は手動で回動操作することができ、固定位置（ロック位置）と固定解除位置（アンロック位置）とに切り換えることができるよう構成されている。図１５にはロック状態を示す。左右３カ所の係止固定具２１１は金属片を折り曲げ形成したＬ型の金具であり、遊技盤３０の固定状態で本体枠１２の外方へ張り出さないよう構成されている。なお、下部１カ所の係止固定具２１２は合成樹脂製のＩ型の留め具である。
【００７６】
遊技盤３０の中央に配置される可変表示ユニット３５には、センターフレーム４３（図１１参照）を背後から覆う合成樹脂製のフレームカバー２１３が後方に突出して設けられており、そのフレームカバー２１３の後端に、第１図柄表示装置４１と表示制御手段としての表示制御装置２１４とが前後に重ねられた状態で着脱可能に取り付けられている。フレームカバー２１３内には、センターフレーム４３に内蔵されたＬＥＤ等を駆動するためのＬＥＤ制御基板などが配設されている。
【００７７】
遊技盤３０の裏面には、可変表示ユニット３５を取り囲むようにして集合板ユニット２１５が設けられている。集合板ユニット２１５は、薄板状の枠体として例えばＡＢＳ樹脂等の合成樹脂により成形されるベースを有し、そのベース面が遊技盤３０の裏面に当接されるようにして取り付けられている。集合板ユニット２１５には、各種入賞口に入賞した遊技球を回収するための遊技球回収機構や、各種入賞口等への遊技球の入賞を検知するための入賞検知機構などが設けられている。
【００７８】
遊技球回収機構について説明すると、集合板ユニット２１５の下方には、前記一般入賞口３１、可変入賞装置３２、作動口３３の遊技盤開口部に対応し且つ下流側で１カ所に集合する回収通路２１６が形成されている。また、遊技盤３０の下方には、本体枠１２にポリカーボネート樹脂等の合成樹脂製の排出通路盤２１７が取り付けられており、排出通路盤２１７には排出球をパチンコ機１０外部の例えば遊技ホールの島設備等へ案内するための排出通路２１８が形成されている。従って、図１５に仮想線で例示するように、一般入賞口３１等に入賞した遊技球は何れも集合板ユニット２１５の回収通路２１６を介して集合し、さらに排出通路盤２１７の排出通路２１８を介してパチンコ機１０外部に排出される。なお、アウト口３６も同様に排出通路２１８に通じており、何れの入賞口にも入賞しなかった遊技球も排出通路２１８を介してパチンコ機１０外部に排出される。上記構成では、遊技盤３０の下端面を境界にして、上方に集合板ユニット２１５（回収通路２１６）が、下方に排出通路盤２１７（排出通路２１８）が設けられており、排出通路盤２１７が遊技盤３０に対して前後方向に重複していない。従って、遊技盤３０を本体枠１２から取り外す際において、排出通路盤２１７が遊技盤取り外しの妨げになるといった不都合が生じることもない。
【００７９】
入賞検知機構について説明すると、集合板ユニット２１５には、遊技盤３０表側の一般入賞口３１と対応する位置に入賞口スイッチ２２１が設けられ、可変入賞装置３２と対応する位置に特定領域スイッチ２２２及びカウントスイッチ２２３が設けられている。特定領域スイッチ２２２は、大当たり中に可変入賞装置３２へ入賞した遊技球が特定領域に入ったことを判定するスイッチである。特定領域とはラウンドの更新可否を判定するための領域であり、Ｖゾーンとも称されている。カウントスイッチ２２３は、可変入賞装置３２に入賞した遊技球の数をカウントするスイッチである。また、作動口３３に対応する位置には作動口３３への遊技球の入賞を検知する作動口スイッチ２２４が設けられ、スルーゲート３４に対応する位置にはスルーゲート３４の遊技球の通過を検知するゲートスイッチ２２５が設けられている。入賞口スイッチ２２１及びゲートスイッチ２２５は電気配線を通じて盤面中継基板２２６に接続され、特定領域スイッチ２２２及びカウントスイッチ２２３は大入賞口中継基板２２７に接続されている。そして、盤面中継基板２２６及び大入賞口中継基板２２７が主制御装置２７１に接続されている。作動口スイッチ２２４は中継基板を介さずに直接主制御装置２７１に接続されている。その他図示は省略するが、可変入賞装置３２には、大入賞口の開閉扉を開放するための大入賞口ソレノイドと、入賞球を特定領域かその他の領域に振り分けるための振分板を駆動する入賞球振分板ソレノイドとが設けられ、作動口３３には、それに付随する電動役物を開放するための作動口ソレノイドが設けられている。
【００８０】
上記入賞検知機構にて各々検出された検出結果は主制御装置２７１に取り込まれ、該主制御装置２７１よりその都度の入賞状況に応じた払出指令（遊技球の払出個数）が払出制御装置３１１に送信される。そして、払出制御装置３１１の出力により所定数の遊技球の払出が実行されるようになっている。ここで、従来のいわゆる証拠球方式では、各種入賞口に入賞した遊技球を入賞球処理装置に一旦集め、その入賞球処理装置で入賞球の存在を１つずつ順番に確認した上で払出を行うようにしていたが、本実施の形態のパチンコ機１０では、各種入賞口毎に遊技球の入賞を電気的に検知して払出が直ちに行われるようにしているため、払い出す遊技球が多量にあってもその払出をいち早く実施することが可能となるとともに、入賞球処理装置が不要となる。
【００８１】
集合板ユニット２１５には、その右上部に盤用外部端子板２３０が設けられている。盤用外部端子板２３０には、第１図柄の変動が停止（確定）する毎に信号出力するための出力端子と、大当たり中又は第１図柄の変動時間短縮中に信号出力するための出力端子と、大当たり中に信号出力するための出力端子とが設けられている。そして、これらの出力端子を通じて、遊技ホール側の管理制御装置に対して遊技（遊技盤３０側の状態）に関する信号が出力される。盤用外部端子板２３０は、取り外し容易な状態で集合板ユニット２１５に取り付けられている。
【００８２】
集合板ユニット２１５には、第１制御基板ユニット２０１を取り付けるための取付機構が設けられている。具体的には、この取付機構として、遊技盤３０の裏面から見て左下隅部には上下方向に延びる軸受け金具２３１が設けられ、この軸受け金具２３１には同一軸線上に上下一対の軸受け孔２３１ａが形成されている。また、遊技盤３０において、軸受け金具２３１の右方には上下一対の被締結孔（具体的にはナイラッチの取付孔）２３２が設けられ、軸受け金具２３１の上方には係止爪片２３３が設けられている。
【００８３】
本体枠１２の裏面には、第２制御基板ユニット２０２や裏パックユニット２０３を取り付けるための取付機構が設けられている。具体的には、本体枠１２にはその右端部に長尺状の軸受け金具２３５が取り付けられている。この軸受け金具２３５は補強部材としても機能する。図１８に示すように、軸受け金具２３５は遊技盤３０よりも下方へ延びる長尺板状の金具本体２３６を有し、その金具本体２３６より後方へ起立させるようにして、下部２カ所に第２制御基板ユニット２０２用の軸受け部２３７が形成されると共に、上部２カ所に裏パックユニット２０３用の軸受け部２３８が形成されている。これら軸受け部２３７，２３８にはそれぞれ同軸の軸受け孔が形成されている。なお、第２制御基板ユニット２０２用の軸受け部２３７と裏パックユニット２０３用の軸受け部２３８とを各々個別の軸受け金具で構成することも可能である。その他、第２制御基板ユニット２０２用の取付機構として、本体枠１２には、遊技盤３０設置領域よりも下方左端部に上下一対の被締結孔（具体的には、ナイラッチの取付孔）２３９が設けられている。また、裏パックユニット２０３用の取付機構として、本体枠１２には、遊技盤３０設置領域の左端部に上下一対の被締結孔（具体的には、ナイラッチの取付孔）２４０が設けられている。本体枠１２において遊技盤３０の左上方、右寄り上方及び右寄り下方の各位置には、遊技盤３０との間に裏パックユニット２０３を挟み込んで支持するための回動式の固定具２４１，２４２，２４３がそれぞれ設けられている。なお、裏パックユニット２０３は、その上部に大量の遊技球を貯留することから、裏パックユニット２０３の上部を支持するための固定具２４１，２４２に関しては特に十分な強度を持つ構成とするのが望ましく、本実施の形態では回動式の固定具を用いている。
【００８４】
上記の如く本体枠１２の左右一側部（図１５では右側部）には長尺状の軸受け金具２３５が設けられる一方、本体枠１２の左右他側部（図１５では左側部）には施錠装置が設けられている。施錠装置は、上下方向に延び本体枠１２に固定された基枠２４７と、その基枠２４７に対して上下方向に移動可能に組み付けられた長尺状の連動杆２４８とを備え、基枠２４７の下部に前記シリンダ錠９１が一体化されている。連動杆２４８は、シリンダ錠９１の操作により上下いずれかの方向に移動する。連動杆２４８には、鉤形状をなす上下一対の鉤金具２４９が設けられており、外枠１１に対して本体枠１２を閉鎖した際には、鉤金具２４９が外枠１１側の支持金具（図示略）に係止され、施錠装置により施錠状態とされるようになっている。この場合、シリンダ錠９１の操作によって連動杆２４８が上方向に移動すると、外枠１１に対する本体枠１２の施錠が解除される。逆に、シリンダ錠９１の操作によって連動杆２４８が下方向に移動すると、本体枠１２に対する上側扉１３の施錠が解除される。
【００８５】
なお、本体枠１２の左右側部に軸受け金具２３５と施錠装置（基枠２４７、連動杆２４８等）とが振り分けられる上記構成において、これら軸受け金具２３５及び施錠装置（基枠２４７、連動杆２４８等）を配置するための領域を残した幅となるようにして、本体枠１２に前記遊技盤３０が取り付けられている。これによっても遊技領域の拡張が図られていることは前述した通りである。
【００８６】
次に、第１制御基板ユニット２０１の構成を図１９〜図２４に基づいて説明する。図１９は第１制御基板ユニット２０１の正面図、図２０は同ユニット２０１の斜視図、図２１は同ユニット２０１の分解斜視図、図２２は同ユニット２０１を裏面から見た分解斜視図である。また、図２３は遊技盤３０の裏面に第１制御基板ユニット２０１を取り付けた状態の正面図、図２４は当該状態の遊技盤３０及び第１制御基板ユニット２０１の側面図である。
【００８７】
第１制御基板ユニット２０１は略Ｌ字状をなす台座部材としての取付台２５１を有し、取付台２５１に主制御装置２７１と音声ランプ制御装置２７２とが搭載されている。主制御装置２７１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、主基板が透明樹脂材料等よりなる被包手段としての基板ボックス２７３に収容されて構成されている。なお、基板ボックス２７３は、略直方体形状のボックスベースと該ボックスベースの開口部を覆うボックスカバーとを備えている。これらボックスベースとボックスカバーとは封印手段としての封印ユニット２７４によって開封不能に連結され、これにより基板ボックス２７３が封印されている。
【００８８】
封印ユニット２７４はボックスベースとボックスカバーとを開封不能に連結する構成であれば任意の構成が適用できるが、ここでは図２０等に示すように、５つの封印部材が連結された構成となっており、この封印部材の長孔に係止爪を挿入することでボックスベースとボックスカバーとが開封不能に連結されるようになっている。封印ユニット２７４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、封印ユニット２７４を構成する５つの封印部材のうち、少なくとも一つの封印部材の長孔に係止爪を挿入することにより封印処理が行われる。そして、収容した主基板の不具合発生の際や主基板の検査の際など基板ボックス２７３を開封する場合には、係止爪が挿入された封印部材と他の封印部材との連結を切断する。その後、再度封印処理する場合は他の封印部材の長孔に係止爪を挿入する。基板ボックス２７３の開封を行った旨の履歴を当該基板ボックス２７３に残しておけば、基板ボックス２７３を見ることで不正な開封が行われた旨が容易に発見できる。
【００８９】
音声ランプ制御装置２７２は、主制御装置２７１からの指示（コマンド信号等）に従い音声やランプ表示による補助演出制御を実施するＣＰＵや、その他ＲＯＭ、ＲＡＭ、各種ポート等を含む音声ランプ制御基板を具備しており、音声ランプ制御基板が透明樹脂材料等よりなる基板ボックス２７５に収容されて構成されている。主制御装置２７１の基板ボックス２７３及び音声ランプ制御装置２７２の基板ボックス２７５は何れもケース部材に相当する。
【００９０】
音声ランプ制御装置２７２上には、電源装置３１３より供給される電源を表示制御装置２１４及び音声ランプ制御装置２７２に供給するための電源中継基板２７６と、主制御装置２７１から音声ランプ制御装置２７２への信号出力を中継する信号中継基板２８０とが搭載されている。
【００９１】
取付台２５１は、ポリカーボネート樹脂等の合成樹脂製であり、例えば緑や青等に着色されて不透明とされている。但し、取付台２５１は無色透明又は半透明であってもよい。取付台２５１の表面には平坦状をなす２つの基板搭載面２５２，２５３が設けられている。これら基板搭載面２５２，２５３は装着部を構成するものであって、縦横に直交する向きに延び、パチンコ機１０の前後方向に段差をもって形成されている。基板搭載面２５２の上縁部及び下縁部にはそれぞれ、基板搭載面２５２より起立した起立部２５４が一体成形されている。そして、横長に延びる一方の基板搭載面２５２上に主制御装置２７１が配置されると共に、縦長に延びる他方の基板搭載面２５３上に音声ランプ制御装置２７２が配置される。このとき、主制御装置２７１は、上下の側部が起立部２５４にて支えられる。また、音声ランプ制御装置１７２は、複数箇所でネジ等により基板搭載面２５３に固定される。
【００９２】
ここで、図２１及び図２２に示すように、基板搭載面２５２には、左右２カ所に孔部としての横長形状の貫通孔２５６が形成されている。一方、主制御装置２７１の基板ボックス２７３には、その裏面の左右２カ所に締結部材としての回動操作式の係止具２７７が設けられている。係止具２７７は、基板ボックス２７３の裏面に立設された支軸２７７ａと、この支軸２７７ａの先端部において９０度の角度で回動可能に設けられた摘み部２７７ｂとよりなる。
【００９３】
主制御装置２７１を基板搭載面２５２に搭載する際には、基板搭載面２５２の左右の貫通孔２５６に係止具２７７の摘み部２７７ｂを挿通させるようにして主制御装置２７１を載置するとともに、基板搭載面２５２の背後にて摘み部２７７ｂを９０度回動させてロック位置に操作する。この摘み部２７７ｂの回動操作によって、基板搭載面２５２上にて取り外し不能に主制御装置２７１が装着できる。この場合、第１制御基板ユニット２０１の裏面側から再び摘み部２７７ｂを回動操作してアンロック位置に戻さなければ（ロック解除しなければ）、主制御装置２７１を取り外すことができないため、基板取り外し等の不正行為に対して抑止効果が得られる。
【００９４】
取付台２５１において、主基板用の基板搭載面２５２は左右の脚部２５９により持ち上げられ、当該取付台２５１を遊技盤３０の裏面に装着した際に基板搭載面２５２が遊技盤３０の裏面から離間されるように構成されている。基板搭載面２５２の背後空間には、中継基板等の基板装置や各種配線などが適宜配されるようになっている。また、基板搭載面２５２の図の下方において、左右の脚部２５９の間には、基板搭載面２５２の背後空間に対する侵入を阻止するための遮蔽部２５７が設けられている。かかる構成では、基板搭載面２５２の背後空間に通じる開口部が遮蔽され、基板搭載面２５２の下方より取付台２５１の裏面に手や工具などを差し入れることが阻止されるようになっている。
【００９５】
また、第１制御基板ユニット２０１をパチンコ機１０裏面に搭載した状態では、当該制御基板ユニット２０１が絵柄表示ユニットとしての可変表示ユニット３５に隣接して配置される。この場合、基板搭載面２５２の背後空間に通じる開口部のうち、上側の開口部は可変表示ユニット３５によって塞がれ、基板搭載面２５２の上方より取付台２５１の裏面に手や工具などを差し入れることが阻止されるようになっている。要するに、基板搭載面２５２の背後空間に通じる開口部は、下側が遮蔽部２５７により塞がれ、左右両側が脚部２５９により塞がれ、上側が可変表示ユニット３５により塞がれる。以上により、第１制御基板ユニット２０１をパチンコ機１０裏面に搭載した状態にあっては、係止具２７７による主制御装置２７１のロック状態を解除することが極めて困難となり、望ましい不正対策が実現できる。
【００９６】
また、第１制御基板ユニット２０１をパチンコ機１０裏面に搭載した状態では、当該制御基板ユニット２０１の上部がカバー部材としての裏パックユニット２０３により覆われるため、これによっても取付台２５１の背後に手や工具などを差し入れることの困難性が増すようになっている。
【００９７】
前述した通り、第１制御基板ユニット２０１は、裏パックユニット２０３を所定角度以上に大きく開いた状態又は同ユニット２０３を取り外した状態でなければ取り外すことが不可能であり、また、施錠装置を正しくキー操作して外枠１１に対して本体枠１２を開放しなければ、裏パックユニット２０３を開くことができない構成となっている。つまり、本体枠１２を開くことができなければ、結果的に第１制御基板ユニット２０１を回動させたり取り外すことができず、ひいては主制御装置２７１の取り外しも不可能となる。それ故、主制御装置２７１の不正な載せ替えや盗難等を効果的に防止することができる。施錠装置を正しくキー操作して外枠１１に対して本体枠１２を開放することが、裏パックユニット２０３を開放するための開放条件となっている。
【００９８】
ここで、主制御装置２７１及び音声ランプ制御装置２７２の配置に関して詳述する。主制御装置２７１用の基板搭載面２５２と音声ランプ制御装置２７２用の基板搭載面２５３とは互いに平行な平坦面にて構成され、パチンコ機１０の裏面から見てＬ字状に直交するようにして形成されている。このとき、図２３に示すように、遊技盤３０中央の可変表示ユニット３５を迂回するようにして各基板搭載面２５２，２５３が形成され、さらに、遊技盤３０の下辺及び左辺に沿うようにして各基板搭載面２５２，２５３が形成されている。また、これら基板搭載面２５２，２５３は段差状に形成されている。
【００９９】
各基板搭載面２５２，２５３に主制御装置２７１及び音声ランプ制御装置２７２が搭載されると、主制御装置２７１はパチンコ機１０裏面から見て手前側に配置され、音声ランプ制御装置２７２はその奥側に配置される。この場合、基板搭載面２５２，２５３がパチンコ機１０の前後方向に段差をもって形成されているため、これら基板搭載面２５２，２５３に主制御装置２７１及び音声ランプ制御装置２７２を搭載した状態において各制御装置２７１，２７２はその一部を前後に重ねて配置される。つまり、図２０等にも見られるように、主制御装置２７１はその一部（本実施の形態では１／３程度）が浮いた状態で配置される。故に、主制御装置２７１に重なる領域まで音声ランプ制御装置２７２を拡張することが可能となり、また別の見方をすれば音声ランプ制御装置２７２に重なる領域まで主制御装置２７１を拡張することが可能となり、パチンコ機１０という限られた大きさの中にあっても、各制御基板２７１，２７２の大型化に良好に対処できるとともに、各制御装置２７１，２７２を効率良く設置できる。なおこの場合、各基板搭載面２５２，２５３の段差を音声ランプ制御装置２７２の高さ寸法よりも大きくしている。故に、各制御装置２７１，２７２を立体配置したとしても、その高さ方向で干渉するといった不都合も生じない。また、第１制御基板ユニット２０１を遊技盤３０に装着した状態では、基板搭載面２５２の後方にスペースが確保され、可変入賞装置３２やその電気配線等が無理なく設置できるようになっている。なお、基板搭載面２５２の裏面には格子状のリブ２５８が設けられており、主制御装置２７１の支持強度が高められている。
【０１００】
主制御装置２７１用の基板搭載面２５２は、その背後空間を確保するために遊技盤３０から所定の高さを有するとともに遊技盤３０の下辺に沿うようにして形成されていることから、図２４に示すように、遊技盤３０に第１制御基板ユニット２０１を取り付けた状態で、当該遊技盤３０を床面Ｆ等に自立させることができるようになる。この場合、遊技盤３０は裏面側に僅かに傾いた状態で自立する。従って、製造工場や遊技ホール等において、遊技盤３０の修理や交換作業等に際し、遊技盤３０を立てておくための専用治具が不要となることや、作業性の向上などの効果が得られるようになる。
【０１０１】
取付台２５１の左端面には上下一対の掛止ピン２６１が設けられており、この掛止ピン２６１を前記軸受け金具２３１に取り付けることで、第１制御基板ユニット２０１が遊技盤３０に対して回動可能に片持ち支持される。取付台２５１の右端部には前記被締結孔２３２にはめ込まれる締結具として上下一対のナイラッチ２６２が設けられている。取付台２５１の上端部には前記係止爪片２３３が係止される長孔２６３が設けられている。従って、ナイラッチ２６２を被締結孔２３２にはめ込むと共に、長孔２６３に係止爪片２３３を係止させることで、第１制御基板ユニット２０１が遊技盤３０に固定される。なお、軸受け金具２３１及び掛止ピン２６１が前記支軸部Ｍ１に、被締結孔２３２及びナイラッチ２６２が前記締結部Ｍ２に、係止爪片２３３及び長孔２６３が前記係止爪部Ｍ３に、それぞれ相当する。
【０１０２】
次に、第２制御基板ユニット２０２の構成を図２５〜図２７に基づいて説明する。図２５は第２制御基板ユニット２０２の正面図、図２６は同ユニット２０２の斜視図、図２７は同ユニット２０２の分解斜視図である。
【０１０３】
第２制御基板ユニット２０２は横長形状をなす取付台３０１を有し、取付台３０１に払出制御装置３１１、発射制御装置３１２、電源装置３１３及びカードユニット接続基板３１４が搭載されている。払出制御装置３１１及び発射制御装置３１２は制御の中枢をなすＣＰＵや、その他ＲＯＭ、ＲＡＭ、各種ポート等を含む制御基板を具備している。払出制御装置３１１の払出制御基板により、賞品球や貸出球の払出が制御される。発射制御装置３１２の発射制御基板により、遊技者による遊技球発射ハンドル１１１の操作に従い遊技球発射装置６１の制御が行われる。また、電源装置３１３の電源基板により、各種制御装置等で要する所定の電源電圧が生成され出力される。カードユニット接続基板３１４は、パチンコ機前面の貸球操作部及び図示しないカードユニットに電気的に接続され、主として遊技者による球貸し操作の指令を取り込んでそれを払出制御装置３１１に出力するものである。なお、カードユニットを介さずに球貸し装置等から球受皿に遊技球が直接貸し出される現金機では、カードユニット接続基板３１４は不要である。
【０１０４】
上記払出制御装置３１１、発射制御装置３１２、電源装置３１３及びカードユニット接続基板３１４は、透明樹脂材料等よりなる基板ボックス３１５，３１６，３１７，３１８にそれぞれ収容されて構成されている。特に、払出制御装置３１１では、主制御装置２７１と同様、被包手段を構成する基板ボックス３１５がボックスベースとボックスカバーとを備え、それらが封印手段としての封印ユニット３１９によって開封不能に連結され、これにより基板ボックス３１５が封印されている。払出制御装置３１１には状態復帰スイッチ３２１が設けられている。例えば、後述する払出モータの球詰まり等、払出エラーの発生時において状態復帰スイッチ３２１が押下されると、払出モータが正逆回転され、球詰まりの解消（正常状態への復帰）が図られるようになっている。電源装置３１３にはＲＡＭ消去スイッチ３２３が設けられている。本パチンコ機１０は各種データのバックアップ機能を有しており、万一停電が発生した際でも停電時の状態を保持し、停電からの復帰（復電）の際には停電時の状態に復帰できるようになっている。従って、例えば遊技ホールの営業終了の場合のように通常手順で電源を遮断すると遮断前の状態が記憶保持されるが、ＲＡＭ消去スイッチ３２３を押しながら電源を投入すると、ＲＡＭデータが初期化されるようになっている。
【０１０５】
取付台３０１は例えば無色透明な樹脂成型品よりなり、その表面に平坦状をなす基板搭載面３０２が設けられている。基板搭載面３０２には、発射制御装置３１２、電源装置３１３及びカードユニット接続基板３１４が横並びとなった状態で搭載され、ネジ等で固定されている。電源装置３１３の基板ボックス３１７上には略平板状の台座プレート３０３が載置されるとともに台座プレート３０３上に払出制御装置３１１が搭載され、ネジ等で固定されている。払出制御装置３１１と電源装置３１３との間には台座プレート３０３が介在するため、例えばノイズ除去用の金属プレート等を設置するには台座プレート３０３に金属プレート等を取り付ければ良く、ノイズ対策が簡単に実現できる。
【０１０６】
取付台３０１には、パチンコ機１０後方からみて右端部に上下一対の掛止ピン３０５が設けられており、掛止ピン３０５を前記軸受け部２３７に上方から挿通させることで、第２制御基板ユニット２０２が本体枠１２に対して回動可能に片持ち支持される。取付台３０１の左端部には締結具として上下一対のナイラッチ３０６が設けられており、ナイラッチ３０６を前記被締結孔２３９にはめ込むことで、第２制御基板ユニット２０２が本体枠１２に固定される。なお、軸受け部２３７及び掛止ピン３０５が前記支軸部Ｍ４に、被締結孔２３９及びナイラッチ３０６が前記締結部Ｍ５に、それぞれ相当する。
【０１０７】
次に、裏パックユニット２０３の構成を図２８，図２９に基づいて説明する。図２８は裏パックユニット２０３の正面図、図２９は裏パックユニット２０３の分解斜視図である。
【０１０８】
裏パックユニット２０３は、裏パック３５１と遊技球の払出機構部３５２とが一体化されることにより構成されている。裏パック３５１は例えばＡＢＳ樹脂等の合成樹脂により一体成型されており、略平坦状のベース部３５３と、パチンコ機１０後方に突出し横長の略直方体形状をなす保護カバー部３５４とを有する。保護カバー部３５４は左右側面及び上面が閉鎖され且つ下面のみが開放された形状をなし、少なくとも可変表示ユニット３５を囲むのに十分な大きさを有する。但し、本実施の形態では、前述の音声ランプ制御装置２７２も併せて囲む構成となっている。保護カバー部３５４の背面には多数の通気孔３５４ａが設けられている。通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の表示制御装置２１４等を露出させることで、所定の検定等を容易に実施することができるようになっている。
【０１０９】
また、保護カバー部３５４には、前記音声ランプ制御装置２７２上に搭載された信号中継基板２８０を視認可能とするための視認窓３５４ｂが設けられている。この場合、視認窓３５４ｂはそのまま開口部とすればよいが、該開口部に透明パネルをはめ込む構成とすることも可能である。但し、視認窓３５４ｂを開口部とする構成であれば、信号中継基板２８０を直接視認できることからより望ましいものとなる。
【０１１０】
裏パック３５１のベース部３５３には、保護カバー部３５４を迂回するようにして払出機構部３５２が配設されている。すなわち、裏パック３５１の最上部には上方に開口したタンク３５５が設けられており、タンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、タンクレール３５６の下流側には上下方向に延びるケースレール３５７が連結されている。払出装置３５８はケースレール３５７の最下流部に設けられ、払出制御装置３１１の制御により払出モータ３５８ａが駆動されて必要個数の遊技球の払出が適宜行われる。払出装置３５８より払い出された遊技球は払出通路３５９等を通じて前記球受皿２１に供給される。なお、図示は省略するが、ケースレール３５７の上流部には、タンク３５５やタンクレール３５６から供給される遊技球の有無を検出するタンク球無しセンサが設けられている。また、払出装置３５８には、払出モータ３５８ａの回転を検出する払出回転センサと、払い出される遊技球数をカウントする払出カウントスイッチとが設けられている。
【０１１１】
タンクレール３５６には、当該タンクレール３５６に振動を付加するためのバイブレータ３６０が取り付けられている。バイブレータ３６０は、バイブモータとそのバイブモータを収容する合成樹脂製のケースとによりユニット化されており、２本の脚部３６０ａでタンクレール３５６に取り付けられている。従って、仮にタンクレール３５６付近で球詰まりが生じた際、バイブレータ３６０が駆動されることで球詰まりが解消されるようになっている。
【０１１２】
また、払出機構部３５２には、払出制御装置３１１から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４ボルトの主電源が供給され、電源スイッチ３８２ａの切替操作により電源ＯＮ又は電源ＯＦＦとされるようになっている。
【０１１３】
タンク３５５から払出通路３５９に至るまでの払出機構部３５２は何れも導電性を有する合成樹脂材料、例えば導電性ポリカーボネート樹脂にて成形され、その一部にてアースされている。これにより、遊技球の帯電によるノイズの発生が抑制されるようになっている。
【０１１４】
裏パック３５１には、その右上部に枠用外部端子板３９０が設けられている。枠用外部端子板３９０には、タンク３５５やタンクレール３５６で遊技球が不足した場合に信号出力するための出力端子、所定個数の賞球を払い出す毎に信号出力するための出力端子、所定個数の遊技球を貸し出す毎に信号出力するための出力端子、本体枠１２の開放時に信号出力するための出力端子、及び上側扉１３の開放時に信号出力するための出力端子が設けられている。そして、これらの出力端子を通じて、遊技ホール側の管理制御装置に対して枠側の状態に関する信号が出力される。なお、所定個数の遊技球を貸し出す毎に信号出力するための出力端子はいわゆる現金機においては不要である。
【０１１５】
裏パック３５１には、枠用外部端子板３９０に隣接して略四角形状の窓部３９１が設けられている。従って、裏パックユニット２０３を本体枠１２に取り付けた状態では、窓部３９１を通じて遊技盤３０裏面の盤用外部端子板２３０が露出し、裏パックユニット２０３を装着したままで盤用外部端子板２３０の操作を行うことができるようになっている。前述のとおり、盤用外部端子板２３０は取り外し容易な状態で集合板ユニット２１５に取り付けられていることから、盤用外部端子板２３０の配線を接続したままで、窓部３９１を介して当該盤用外部端子板２３０を取り出すことも可能となる。裏パック３５１の右上部には本体枠１２の開放の状態を検出するための本体枠開放スイッチ３９２が設けられており、外枠１１に対して本体枠１２を閉じた状態では当該スイッチ３９２の金属接点が閉じて本体枠１２の閉鎖が検知され、外枠１１に対して本体枠１２を開いた状態では金属接点が開いて本体枠１２の開放が検知されるようになっている。
【０１１６】
裏パック３５１には、パチンコ機１０後方からみて右端部に上下一対の掛止ピン３８５が設けられており、掛止ピン３８５を前記軸受け部２３８に上方から挿通させることで、裏パックユニット２０３が本体枠１２に対して回動可能に片持ち支持される。裏パック３５１には、左端部に締結具として上下一対のナイラッチ３８６が設けられると共に、上端部に係止孔３８７が設けられており、ナイラッチ３８６を前記被締結孔２４０にはめ込むと共に、係止孔３８７に前記固定具２４２を挿入した上で当該固定具２４２を回動操作することで、裏パックユニット２０３が本体枠１２に固定される。また、前記固定具２４１，２４３によっても裏パックユニット２０３が本体枠１２に固定される。なお、軸受け部２３８及び掛止ピン３８５が前記支軸部Ｍ６に、被締結孔２４０及びナイラッチ３８６が前記締結部Ｍ７に、固定具２４２及び係止孔３８７が前記係止部Ｍ８に、それぞれ相当する。また、固定具２４３が前記係止部Ｍ９に相当する。
【０１１７】
次に、本パチンコ機１０の電気的構成について、図３０のブロック図に基づいて説明する。
【０１１８】
主制御装置２７１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【０１１９】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのメモリやエリアの他に、バックアップエリア５０３ａが設けられている。
【０１２０】
バックアップエリア５０３ａは、停電などの発生により電源が遮断された場合において、電源遮断時（停電発生時を含む。以下同様）のスタックポインタや、各レジスタ、Ｉ／Ｏ等の値を記憶しておくためのエリアであり、電源投入時（停電解消による電源投入を含む。以下同様）には、バックアップエリア５０３ａの情報に基づいてパチンコ機１０の状態が電源遮断前の状態に復帰できるようになっている。バックアップエリア５０３ａへの書き込みはＮＭＩ割込み処理によって電源遮断時に実行され、バックアップエリア５０３ａに書き込まれた各値の復帰は電源投入時のメイン処理において実行される。なお、ＣＰＵ５０１のＮＭＩ端子（ノンマスカブル割込端子）には、停電等の発生による電源遮断時に、停電監視回路５４２からの停電信号ＳＧ１が入力されるように構成されており、停電の発生により停電時処理としてのＮＭＩ割込み処理が即座に実行される。
【０１２１】
主制御装置２７１のＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、表示制御装置２１４や、その他図示しないスイッチ群などが接続されている。
【０１２２】
払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１２３】
払出制御装置３１１のＲＡＭ５１３は、主制御装置２７１のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのメモリやエリアの他に、バックアップエリア５１３ａが設けられている。
【０１２４】
バックアップエリア５１３ａは、停電などの発生により電源が遮断された場合において、電源遮断時のスタックポインタや、各レジスタ、Ｉ／Ｏ等の値を記憶しておくためのエリアであり、電源投入時には、このバックアップエリア５１３ａの情報に基づいてパチンコ機１０の状態が電源遮断前の状態に復帰できるようになっている。バックアップエリア５１３ａへの書き込みはＮＭＩ割込み処理によって電源遮断時に実行され、バックアップエリア５１３ａに書き込まれた各値の復帰は電源投入時のメイン処理において実行される。なお、主制御装置２７１のＣＰＵ５０１と同様、ＣＰＵ５１１のＮＭＩ端子にも、停電等の発生による電源遮断時に停電監視回路５４２から停電信号ＳＧ１が入力されるように構成されており、停電の発生により、ＮＭＩ割込み処理が即座に実行されるようになっている。
【０１２５】
払出制御装置３１１のＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２７１、発射制御装置３１２、払出モータ３５８ａなどがそれぞれ接続されている。
【０１２６】
発射制御装置３１２は、遊技球発射装置６１による遊技球の発射を許可又は禁止するものであり、遊技球発射装置６１は、所定条件が整っている場合に駆動が許可される。具体的には、払出制御装置３１１から発射許可信号が出力されていること、遊技者が遊技球発射ハンドル１１１に触れていることをセンサ信号により検出していること、発射を停止させるための発射停止スイッチが操作されていないことを条件に、遊技球発射装置６１が駆動され、遊技球発射ハンドル１１１の操作量に応じた強さで遊技球が発射される。
【０１２７】
音声ランプ制御装置２７２は、他の制御装置と同様に、ＣＰＵ、ＲＯＭ、ＲＡＭ、入出力ポート等の電気的構成を有しており、主制御装置２７１から図柄変動に関する各種コマンドを入力し、そのコマンドに応じて音声やランプ表示による補助演出を実施する。なお、主制御装置２７１から入力した各種コマンドのうち、表示制御装置２１４にも関連するものはそのまま表示制御装置２１４に対して出力されるようになっている。
【０１２８】
表示制御装置２１４は、第１図柄表示装置４１における第１図柄（特別図柄）の変動表示と、第２図柄表示装置４２における第２図柄（普通図柄）の変動表示とを制御するものである。表示制御装置２１４は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、２つの出力ポート５２８，５２９と、バスライン５３０，５３１とを備えている。入力ポート５２７の入力側には音声ランプ制御装置２７２が接続され、入力ポート５２７の出力側には、ＣＰＵ５２１、ＲＯＭ５２２、ワークＲＡＭ５２３、画像コントローラ５２６が接続されると共にバスライン５３０を介して出力ポート５２８が接続されている。出力ポート５２８の出力側には第２図柄表示装置４２（表示部４５）が接続されている。また、画像コントローラ５２６にはバスライン５３１を介して出力ポート５２９が接続されており、その出力ポート５２９の出力側には第１図柄表示装置４１が接続されている。
【０１２９】
表示制御装置２１４のＣＰＵ５２１は、音声ランプ制御装置２７２を経由して主制御装置２７１から送信される図柄表示コマンドに基づいて第１図柄表示装置４１及び第２図柄表示装置４２の表示を制御する。ＲＯＭ５２２は、ＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１３０】
ビデオＲＡＭ５２４は、第１図柄表示装置４１に表示される表示データを記憶するためのメモリであり、ビデオＲＡＭ５２４の内容を書き替えることにより、第１図柄表示装置４１の表示内容が変更される。キャラクタＲＯＭ５２５は、第１図柄表示装置４１に表示される図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第１図柄表示装置４１に表示させるものである。
【０１３１】
電源装置３１３は、パチンコ機１０の各部に電源を供給するための電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２７１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２７１や払出制御装置３１１等に対して供給する。なお、発射制御装置３１２に対しては払出制御装置３１１を介して動作電源（＋１２Ｖ電源、＋５Ｖ電源等）が供給される。
【０１３２】
停電監視回路５４２は、停電等の発生による電源遮断時に、主制御装置２７１のＣＰＵ５０１及び払出制御装置３１１のＣＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２７１及び払出制御装置３１１へ出力する。停電信号ＳＧ１の出力によって、主制御装置２７１及び払出制御装置３１１は、停電の発生を認識し、ＮＭＩ割込み処理を実行する。なお、電源部５４１は、直流安定２４ボルトの電圧が２２ボルト未満になった後においても、ＮＭＩ割込み処理の実行に充分な時間の間、制御系の駆動電圧である５ボルトの出力を正常値に維持するように構成されている。よって、主制御装置２７１及び払出制御装置３１１は、ＮＭＩ割込み処理を正常に実行し完了することができる。
【０１３３】
ＲＡＭ消去スイッチ回路５４３は、ＲＡＭ消去スイッチ３２３のスイッチ信号を取り込み、そのスイッチ３２３の状態に応じて主制御装置２７１及び払出制御装置３１１のバックアップデータをクリアするためのＲＡＭ消去信号ＳＧ２を出力する回路である。ＲＡＭ消去スイッチ３２３が押下された際、ＲＡＭ消去スイッチ回路５４３は、主制御装置２７１及び払出制御装置３１１に対してＲＡＭ消去信号ＳＧ２を出力する。これにより、ＲＡＭ消去スイッチ３２３が押された状態でパチンコ機１０の電源が投入されると、主制御装置２７１及び払出制御装置３１１においてそれぞれのバックアップエリア５０３ａ，５１３ａのデータがクリアされる。
【０１３４】
以上詳述した本実施の形態によれば、以下の優れた効果を奏する。
【０１３５】
パチンコ機１０の前面部に設けた球受皿２１には、遊技球貯留領域として、前後２つの貯留領域（上流領域Ｒ１、下流領域Ｒ２）を設け、そのうち奥側の上流領域Ｒ１が排出口７３に通じ、手前側の下流領域Ｒ２が取込口７５に通じるように構成した。かかる構成では、遊技球貯留領域の複数列化により、該貯留領域の大容量化と、上流部から下流部かけて遊技球のスムーズな流通とが実現できる。また、２つの領域Ｒ１，Ｒ２のうち手前側の貯留領域（下流領域Ｒ２）が遊技者に近い位置に配されることとなり、取込口７５から取り込まれる間際の遊技球を容易に確認することができる。前後二列の貯留領域のうち奥側の貯留領域から遊技球が取り込まれる従来構成と比してその効果は明らかである。その結果、本パチンコ機１０では、遊技球貯留領域の大容量化と遊技球のスムーズな流通とを可能とし、しかも遊技球の存否を容易に確認することができるようになる。
【０１３６】
また、排出口７３と取込口７５とを、パチンコ機１０の中心を基準として片側（本実施の形態では左寄り）であって、取込口７５が排出口７３よりも外側になるように設けた。かかる場合、仮に取込口７５が排出口７３よりも内側になるように設けられた構成では、球受皿２１の一部が取込口７５の上方に被さるように位置することとなる。これにより、取込口７５に取り込まれる間際の遊技球の確認が困難となる。これに対して本構成によれば上記不都合が回避できる。
【０１３７】
またこのとき、排出口７３と取込口７５とが下側扉１４の軸線寄りに設けられるため、払出装置類や遊技球の取込装置類を下側扉１４の軸線寄りに集約して設けることが容易となる。これら装置類を下側扉１４の軸線寄りに設けることにより、下側扉１４をある角度以上開放しないと当該装置類に対する不正行為が困難となる。それ故に、払出や取込に関する装置類に対しての不正行為をしづらくさせる上で有効な構成となる。また、払出や取込に関する装置類（すなわち、遊技球を取り扱う装置類）を下側扉１４の軸線寄りに設けることにより、下側扉１４の重量負担が軽減される。従って、下側扉１４の破損等の不都合を抑制することができる。
【０１３８】
下流領域Ｒ２の最下流部を整列通路部Ｒ３とし、該整列通路部Ｒ３に透明材料よりなる通路カバー７２を取り付けたため、１つずつ確実な遊技球の取込が可能となる。また、通路カバー７２は透明材料にて構成されているため、整列通路部Ｒ３を通過して取込口７５から取り込まれる遊技球を目視にて確認することができる。この場合、遊技終了時等において、整列通路部Ｒ３に遊技球が残っていたとしてもその確認を確実に行うことができる。
【０１３９】
また、通路カバー７２を球受皿２１に対して着脱可能に構成したため、例えば、使用に伴い整列通路部Ｒ３が汚れる場合などにおいて、通路カバー７２を取り外して整列通路部Ｒ３の清掃等を行うことなどが可能となる。これにより、メンテナンス性を向上させることができる。
【０１４０】
整列通路部Ｒ３を、少なくとも取込口７５の間際（遊技球取込口から上流側の所定区間）でパチンコ機前面部に対して垂直又は略垂直となるよう設けたため、パチンコ機１０の正面に位置する遊技者にとっては、整列通路部Ｒ３内の様子を容易に目視することができる。それ故に、整列通路部Ｒ３を通過して取込口７５から取り込まれる遊技球（整列通路部Ｒ３に残っている遊技球とも言える）を確認する上で有効な構成が実現できる。整列通路部Ｒ３がパチンコ機前面部に沿って並設される従来構成と比してその有効性は顕著である。
【０１４１】
またこのとき、整列通路部Ｒ３を、取込口７５に至るまでの範囲で円弧状に設けたため、整列通路部Ｒ３において数珠繋ぎ状に並ぶ遊技球が次々と後押しされるように流れ、当該整列通路部Ｒ３における遊技球の流れをスムーズにすることができる。
【０１４２】
なお、上述した実施の形態の記載内容に限定されず、例えば次のように実施してもよい。
【０１４３】
（ａ）球受皿２１の外周壁２１ａの高さを、仕切壁部７１よりも低くしても良い。具体的には、図３１に示すように球受皿２１を構成する。この場合、遊技球貯留領域の最下流部における球受皿２１の外周壁２１ａを、少なくとも遊技球１個分の通過が可能となる高さとし、その内側に遊技球通路（整列通路部）を形成する。但しこの場合、外周壁２１ａよりも内側には、透明材料よりなる通路カバー（図示略）が組み付けられると良い。本構成によれば、遊技球貯留領域の最下流部（すなわち、取込口直前の部位）における遊技球の存否がより一層容易に確認できるようになる。なおこのとき、下側扉１４の膨出部２０は、球受皿２１の外周壁２１ａに合わせて形状が変更される。
【０１４４】
（ｂ）上記実施の形態では、球受皿２１において取込口７５に至るまでの範囲で整列通路部Ｒ３を円弧状に設けたが、これを変更し、当該整列通路部Ｒ３を多角形状よりなる直線状に設けても良い。この場合にも前記同様、取込口７５の間際（遊技球取込口から上流側の所定区間）において、整列通路部Ｒ３をパチンコ機前面部に対して垂直又は略垂直に設けることで、整列通路部Ｒ３内の様子を容易に目視することができ、遊技球の存否確認が容易となる。整列通路部Ｒ３を円弧状に設ける構成において、当該整列通路部Ｒ３の曲率を、異なる曲率の組み合わせとすることも可能である。
【０１４５】
またこの場合、整列通路部Ｒ３を、取込口７５又はその近傍から、パチンコ機前方における遊技者の想定位置（例えばホールにパチンコ機毎に設置された遊技椅子）に向かって延びるよう設けても良い。これにより、パチンコ機前方の遊技者にとって、整列通路部Ｒ３内における遊技球の確認がより一層容易なものとなる。
【０１４６】
（ｃ）上記実施の形態では、上方から見て球受皿２１の外周壁を左右対称形状としたが（図６参照）、これを変更し、球受皿２１の外周壁を左右非対称の形状としても良い。例えば、球受皿２１の右側又は左側のいずれかがより手前側に張り出すような形状としても良い。
【０１４７】
（ｄ）上記実施の形態では、パチンコ機前面の膨出部２０において、パチンコ機１０の中心（左右方向の中心）よりも左側に排出口７３と取込口７５とを設けたが、これに代えて、パチンコ機１０の中心よりも右側に排出口７３と取込口７５とを設けるようにしても良い。
【０１４８】
（ｅ）上記実施の形態では、球受皿２１内における遊技球貯留領域として、前後二列の貯留領域を設けたが、これを変更し、前後三列以上の貯留領域を設けても良い。また、遊技球貯留領域を二列以上に区分する構成をなくし、同貯留領域を一列で構成することも可能である。
【０１４９】
（ｆ）上記実施の形態では、パチンコ機前面の扉体として、上下に分割された上側扉１３と下側扉１４とを設けたが、これに代えて、前記各扉１３，１４を一体化した構成としても良い。すなわち、前記扉体を１枚構成とする。
【０１５０】
（ｇ）上記実施の形態では、パチンコ機前面において、皿部材としての球受皿を１カ所にのみ設ける構成としたが、これを変更し、上下２カ所に皿部材（球受皿）を設ける構成としても良い。つまり、パチンコ機１０の下部に、前記球受皿２１とは別に皿部材（球受皿）を設ける。この場合、球受皿２１はいわゆる上皿として機能し、それよりも下方の皿部材（球受皿）はいわゆる下皿として機能する。
【０１５１】
（ｈ）上記実施の形態では、遊技球発射装置６１により遊技球をほぼ真上に打ち上げる構成としたが、これを変更しても良い。例えば、遊技球発射ハンドル１１１の位置に合わせてパチンコ機１０の右寄りに遊技球発射装置６１を設ける構成とし、正面から見て右下部から左上方に遊技球を打ち上げる構成とする。
【０１５２】
（ｉ）遊技球発射装置を、ソレノイド駆動式以外の構成とすることもできる。例えば、モータ駆動式の遊技球発射装置を採用する。この場合、遊技球発射ハンドル１１１が操作されると、その操作角度に応じて発射モータが駆動し、遊技球の発射が行われる。
【０１５３】
（ｊ）上記実施の形態では、上側扉１３（扉体）の窓部１５に設ける透明板として、複層ガラスよりなるガラスユニットを配設する構成としたが、これを変更し、上側扉１３（扉体）に、前後２枚のガラス板を所定間隔を隔てて各々個別に組み付ける構成としても良い。この場合、上側扉１３（扉体）には、ガラス板を保持するための保持レール部材が設けられる。
【０１５４】
（ｋ）上記実施の形態では、第１図柄表示装置４１の表示画面Ｇにおいて第１図柄が上下方向（縦方向）に変動表示されるよう構成したが、左右方向（横方向）に変動表示されるよう構成しても、同様の効果が得られることは言うまでもない。また、５つの有効ラインを有するパチンコ機に限らず、５つ以外（例えば２つや３つ）の有効ラインを有するパチンコ機に適用してもよく、第１図柄の変動方向と有効ライン数の組み合わせは任意である。また、表示画面Ｇにおいて、３列の図柄列を設けることにも限定はされることはなく、１列、２列又は４列以上の図柄列を設ける構成であっても良い。
【０１５５】
（ｌ）上記実施の形態とは異なる他のタイプの弾球遊技機、例えば他の役物を備えたパチンコ機、アレンジボール機、雀球等の遊技機や、メダルに代えて遊技球（パチンコ球）を使用する球使用タイプの回胴式遊技機にも適用できる。
【０１５６】
球使用タイプの回胴式遊技機では、外周に複数の図柄が付されたリール装置（回胴装置）、遊技者により操作されるベットスイッチやスタートレバー等の装置類、遊技球の取込を許可又は禁止すると共に順次取り込まれる遊技球をカウントするための取込装置などが設けられる。この場合、球受皿２１に貯留された遊技球は、整列通路部Ｒ３及び取込口７５を介して取込装置に導かれる。そして、遊技者によるベットスイッチの操作に伴い取込装置で遊技球の取込が行われ、その取り込まれた遊技球数に応じて毎回の遊技の開始（スタートレバー操作に伴うリール回転）が許容される。
【０１５７】
また、上記のような球使用回胴遊技機では、遊技球取込の効率アップを図るべく複数の遊技球を同時に取込可能とする構成が考えられる。この場合、複数の取込装置を連ねて並設すると共に、それら各取込装置に各々個別に遊技球が供給できるよう球受皿２１の整列通路部を複数列で形成すると良い。本遊技機においても、前記同様、球受皿２１の貯留領域を前後２つに設ける構成、そのうち最も手前側の貯留領域に整列通路部を設ける構成、整列通路部に透明カバーを設ける構成などが適用できる。
【図面の簡単な説明】
【０１５８】
【図１】一実施の形態におけるパチンコ機を示す正面図である。
【図２】パチンコ機の斜視図である。
【図３】前面扉を開放した状態のパチンコ機を示す斜視図である。
【図４】前面扉を直角に開いた状態でのパチンコ機を示す正面図である。
【図５】下側扉の斜視図である。
【図６】下側扉の平面図である。
【図７】球受皿を示す斜視図である。
【図８】球受皿を示す斜視図である。
【図９】遊技球案内ユニットの構成を説明するための図である。
【図１０】遊技球案内ユニットの構成を説明するための図である。
【図１１】遊技盤の構成を示す正面図である。
【図１２】パチンコ機の構成を示す背面図である。
【図１３】パチンコ機の背面構成を主要部品毎に分解して示す分解斜視図である。
【図１４】パチンコ機裏面における第１制御基板ユニット、第２制御基板ユニット及び裏パックユニットの配置を示す模式図である。
【図１５】本体枠及び遊技盤の構成を示す背面図である。
【図１６】本体枠の背面構成を示す斜視図である。
【図１７】遊技盤の背面構成を示す斜視図である。
【図１８】軸受け金具の構成を示す斜視図である。
【図１９】第１制御基板ユニットの構成を示す正面図である。
【図２０】第１制御基板ユニットの構成を示す斜視図である。
【図２１】第１制御基板ユニットの分解斜視図である。
【図２２】第１制御基板ユニットの背面構成を示す分解斜視図である。
【図２３】遊技盤の裏面に第１制御基板ユニットを取り付けた状態の正面図である。
【図２４】遊技盤の裏面に第１制御基板ユニットを取り付けた状態の側面図である。
【図２５】第２制御基板ユニットの構成を示す正面図である。
【図２６】第２制御基板ユニットの構成を示す斜視図である。
【図２７】第２制御基板ユニットの分解斜視図である。
【図２８】裏パックユニットの構成を示す正面図である。
【図２９】裏パックユニットの分解斜視図である。
【図３０】パチンコ機の電気的構成を示すブロック図である。
【図３１】球受皿の別の構成を示す斜視図である。
【符号の説明】
【０１５９】
１０…遊技機としてのパチンコ機、１１…外枠、１２…本体枠、１３…上側扉、１４…下側扉、２１…球受皿、２１ａ…外周壁、３０…遊技盤、３３…作動口、３５…可変表示ユニット、５３…球発射通路、６１…遊技球発射装置、７１…仕切壁部、７２…通路カバー、７３…排出口、７５…取込口、１１１…遊技球発射ハンドル、Ｒ１…上流領域、Ｒ２…下流領域、Ｒ３…整列通路部。
【図１】
2006204523.tif 000003
【図２】
2006204523.tif 000004
【図３】
2006204523.tif 000005
【図４】
2006204523.tif 000006
【図５】
2006204523.tif 000007
【図６】
2006204523.tif 000008
【図７】
2006204523.tif 000009
【図８】
2006204523.tif 000010
【図９】
2006204523.tif 000011
【図１０】
2006204523.tif 000012
【図１１】
2006204523.tif 000013
【図１２】
2006204523.tif 000014
【図１３】
2006204523.tif 000015
【図１４】
2006204523.tif 000016
【図１５】
2006204523.tif 000017
【図１６】
2006204523.tif 000018
【図１７】
2006204523.tif 000019
【図１８】
2006204523.tif 000020
【図１９】
2006204523.tif 000021
【図２０】
2006204523.tif 000022
【図２１】
2006204523.tif 000023
【図２２】
2006204523.tif 000024
【図２３】
2006204523.tif 000025
【図２４】
2006204523.tif 000026
【図２５】
2006204523.tif 000027
【図２６】
2006204523.tif 000028
【図２７】
2006204523.tif 000029
【図２８】
2006204523.tif 000030
【図２９】
2006204523.tif 000031
【図３０】
2006204523.tif 000032
【図３１】
2006204523.tif 000033